(57)【要約】【課題】コーナーの剛性を確保しつつ、パネルの厚みに応じた調整作業を容易に行うことができるパネルの連結構造を提供すること。【解決手段】パネル１０の連結構造１５は、取付フレーム３０と、パネル連結具４０と、コーナー連結具５０と、を備える。コーナー連結具５０は、板状に形成されるコーナー連結具基部５１と、コーナー連結具基部５１の一側から屈曲する第１連結部５２と、コーナー連結具基部５１の他側から第１連結部５２と同じ側に屈曲する第２連結部５３と、を有し、パネル１０ａとパネル１０ｂを直角状に連結する場合は、第１連結部５２をパネル１０ａに固定するとともに、第２連結部５３をパネル連結具４０のビス取付部４１ａに固定し、該パネル連結具４０の連結具嵌合部４２をもう一方のパネル１０ｂの取付フレーム３０ａに固定することにより、パネル１０ａとパネル１０ｂを直角状に連結する。【選択図】図１
2016089518.tif 000002
【特許請求の範囲】
【請求項１】
パネルの連結構造であって、
前記パネルの裏面の両端にそれぞれ固定される取付部材と、
第１パネルの前記取付部材を一側で固定する第１固定部及び前記第１パネルに直線状に隣接する第２パネルの前記取付部材を他側で固定する第２固定部を有し、前記第１パネルと前記第２パネルを直線状に連結可能なパネル連結具と、
前記パネル連結具とともに２枚の前記パネルを直角状に連結するコーナー連結具と、
を備え、
前記コーナー連結具は、
板状に形成される基部と、
前記基部の一側から屈曲する第１屈曲部と、
前記基部の他側から前記第１屈曲部と同じ側に屈曲する第２屈曲部と、
を有し、
２枚の前記パネルを直角状に連結する場合は、前記第１屈曲部を一方の前記パネルに固定するとともに、前記第２屈曲部を前記パネル連結具の前記第１固定部に固定し、該パネル連結具の前記第２固定部を他方の前記パネルの前記取付部材に固定することにより、一方の前記パネルと他方の前記パネルを直角状に連結するパネルの連結構造。
【請求項２】
前記第２屈曲部は、
前記基部の他側から前記第１屈曲部と同じ側に屈曲し、前記パネル連結具の前記第１固定部が固定されるコーナー連結具固定部と、
前記コーナー連結具固定部の先端側から前記第１屈曲部側に屈曲する先端側屈曲部と、
を備える請求項１に記載のパネルの連結構造。
【請求項３】
前記取付部材には、凸状又は凹状の取付側嵌合部が形成され、
前記第２固定部には、前記取付側嵌合部に嵌合する凹状又は凸状の連結具側嵌合部が形成される請求項１又は２に記載のパネルの連結構造。
【請求項４】
請求項１から３までの何れかに記載のパネルの連結構造を備える浴室ユニット。
【発明の詳細な説明】
【技術分野】
【０００１】
本発明は、パネルの連結構造及びパネルの連結構造を備える浴室ユニットに関する。
【背景技術】
【０００２】
浴室ユニット等のユニットルームの施工において、連結金具等からなる連結構造を用いて２枚のパネルを直角状に連結してユニットルームのコーナーを形成する方法が従来から知られている。この種の連結構造を開示するものとして、例えば特許文献１〜３がある。特許文献１には、嵌入スリットが形成される隅柱を介して２枚の側壁パネルを連結し、コーナーを形成する連結構造が開示されている。特許文献２には、ジョイント部材によって側壁パネルが直角状に接続される連結構造が開示されている。特許文献３には、ストッパ金具の弾性力を利用してパネル本体の連結作業を行う連結構造が開示されている。
【先行技術文献】
【特許文献】
【０００３】
【特許文献１】実公昭６３−１７３０号公報
【特許文献２】実公平１−１１８８３号公報
【特許文献３】実開平３−５７２０８号公報
【発明の概要】
【発明が解決しようとする課題】
【０００４】
ところで、浴室ユニットで使用されるパネルは、使用される化粧板や裏打材によってパネルの厚みが異なってくる。パネルを連結する連結部材は、パネルの厚みに応じてサイズや連結に必要な弾性力が設計されているので、想定されている厚みと異なる厚みのパネルを使用する場合、弾性力による押圧力がパネルに適切に作用するように板厚ごとに調整しなければならなかった。専用の型を用いて連結部材を製造している場合、パネルの厚みに応じた専用の型を別途用意する必要があり、パネルの厚みに応じて行う連結部材の調整作業は非常に手間のかかるものであった。また、板厚の大きいパネルを用いた場合、モーメントが大きいコーナーでは、弾性力だけでパネルの適切な連結状態を十分に維持できなくなるおそれもあった。この点、特許文献１〜３に開示される連結部材は、パネルの板厚が変わった場合に、連結部材の変更や弾性力の調整等が手間のかかるものとなっており、作業効率の向上及び剛性の確保という観点で改善の余地があった。
【０００５】
本発明は、コーナーの剛性を確保しつつ、パネルの厚みに応じた調整作業を容易に行うことができるパネルの連結構造を提供することを目的とする。
【課題を解決するための手段】
【０００６】
本発明は、パネルの連結構造であって、前記パネルの裏面の両端にそれぞれ固定される取付部材と、第１パネルの前記取付部材を一側で固定する第１固定部及び前記第１パネルに直線状に隣接する第２パネルの前記取付部材を他側で固定する第２固定部を有し、前記第１パネルと前記第２パネルを直線状に連結可能なパネル連結具と、前記パネル連結具とともに２枚の前記パネルを直角状に連結するコーナー連結具と、を備え、前記コーナー連結具は、板状に形成される基部と、前記基部の一側から屈曲する第１屈曲部と、前記基部の他側から前記第１屈曲部と同じ側に屈曲する第２屈曲部と、を有し、２枚の前記パネルを直角状に連結する場合は、前記第１屈曲部を一方の前記パネルに固定するとともに、前記第２屈曲部を前記パネル連結具の前記第１固定部に固定し、該パネル連結具の前記第２固定部を他方の前記パネルの前記取付部材に固定することにより、一方の前記パネルと他方の前記パネルを直角状に連結するパネルの連結構造に関する。
【０００７】
前記第２屈曲部は、前記基部の他側から前記第１屈曲部と同じ側に屈曲し、前記パネル連結具の前記第１固定部が固定されるコーナー連結具固定部と、前記コーナー連結具固定部の先端側から前記第１屈曲部側に屈曲する先端側屈曲部と、を備えることが好ましい。
【０００８】
前記取付部材には、凸状又は凹状の取付側嵌合部が形成され、前記第２固定部には、前記取付側嵌合部に嵌合する凹状又は凸状の連結具側嵌合部が形成されることが好ましい。
【０００９】
また、本発明は、前記パネルの連結構造を備える浴室ユニットを提供する。
【発明の効果】
【００１０】
本発明のパネルの連結構造によれば、コーナーの剛性を確保しつつ、パネルの厚みに応じた調整作業を容易に行うことができる。
【図面の簡単な説明】
【００１１】
【図１】本発明の一実施形態に係るパネルの連結構造が適用される浴室ユニットのコーナーを示す平面図である。
【図２】パネルの裏打フレームを概略的に示す正面図である。
【図３】パネルの裏打フレーム及び取付フレームを概略的に示す側面図である。
【発明を実施するための形態】
【００１２】
以下、本発明のパネルの連結構造及び浴室ユニットの好ましい一実施形態について、図面を参照しながら説明する。図１は、本発明の一実施形態に係るパネル１０の連結構造１５が適用される浴室ユニット１のコーナー５を示す平面図である。図２は、パネル１０の裏打フレーム２１を概略的に示す正面図である。図３は、パネル１０の裏打フレーム２１及び取付フレーム３０を概略的に示す側面図である。
【００１３】
本実施形態の浴室ユニット１は、パネル１０、防水パン等を備える床部、天井部及びドア部（パネル１０以外の構成については図示省略）等によって浴室空間を形成するものである。図１に示すように、浴室ユニット１は、連結構造１５によって連結された複数のパネル１０によって内壁が形成され、コーナー５では連結構造１５によってパネル１０ａ，１０ｂが直角状に連結されている。
【００１４】
パネル１０の構成について説明する。本実施形態のパネル１０は、化粧板１１と、裏打材２０と、取付フレーム３０と、を備える。
【００１５】
化粧板１１は、タイルによって構成されるタイル層である。なお、化粧板１１を構成する材料としては、セラミック、樹脂、石等、種々のものが用いられる。
【００１６】
裏打材２０は、化粧板１１に接合されており、該化粧板１１と一体的な部材となっている。本実施形態の裏打材２０は、裏打フレーム２１と、ウレタン樹脂充填部２２と、から構成される。図２及び図３に示すように、裏打フレーム２１は、矩形の枠組み状に形成される外枠であり、角パイプを繋ぎ合わせて構成される。ウレタン樹脂充填部２２は、裏打フレーム２１の内側に充填される。このウレタン樹脂充填部２２によってパネル１０の防音及び高い断熱性が実現されている。
【００１７】
取付フレーム３０は、パネル連結具４０をパネル１０に固定する取付部材であり、パネル１０の裏面の左右方向の両側にそれぞれ配置される。図１及び図３に示すように、取付フレーム３０は、裏打フレーム２１の化粧板１１が取り付けられる面と反対側の面に、その長手方向が上下方向を向くように固定される。本実施形態の取付フレーム３０は、裏打フレーム２１を構成する角パイプよりも小さいサイズの角パイプで構成される。
【００１８】
本実施形態では、パネル１０に取り付けられる２つの取付フレーム３０のうち、一側に位置する取付フレーム３０ａにはフレーム嵌合部３１が形成される。図１に示す例では、パネル１０ａのコーナー５とは反対側に位置する取付フレーム３０ａと、パネル１０ｂのコーナー５側に位置する取付フレーム３０ａと、にフレーム嵌合部３１が形成されている。
【００１９】
フレーム嵌合部３１は、後述のパネル連結具４０を嵌合する取付側嵌合部である。フレーム嵌合部３１は、取付フレーム３０ａにおける裏打材２０の厚み方向と直交する方向を向く外側面から突出するように形成される。本実施形態のフレーム嵌合部３１は、球面状の頭部を有するビス等を取付フレーム３０ａに打ち込むことによって構成されている。本実施形態のフレーム嵌合部３１は、取付フレーム３０ａの上下方向に所定の間隔をあけて複数（例えば４個）並列配置されている。なお、他側に位置する取付フレーム３０ｂは、ビス９０を介してパネル連結具４０と連結される。
【００２０】
次に、本実施形態の連結構造１５を構成するパネル連結具４０と、コーナー連結具５０と、について説明する。
【００２１】
まず、パネル連結具４０について説明する。パネル連結具４０は、パネル１０を直線状に連結する際に用いられるとともに、コーナー５での連結にも用いられる連結金具である。本実施形態のパネル連結具４０は、連結具本体４１と、連結具嵌合部４２と、を備え、弾性変形可能な部材によって構成される。
【００２２】
連結具本体４１は、両端部が同じ側に略９０度屈曲しており、その断面形状がＵ字状になっている。図１に示すように、連結具本体４１は、取付フレーム３０を２つ挟み込むことができるように、両端部の屈曲位置が調整されている。また、連結具本体４１の一側には、ビス９０を取り付けるための第１固定部としてのビス取付部４１ａが形成されており、ビス取付部４１ａにビス９０を挿通することで取付フレーム３０ｂに連結可能になっている。
【００２３】
連結具嵌合部４２は、フレーム嵌合部３１に嵌合するために凹状に形成される連結具側嵌合部（第２固定部）である。本実施形態では、その断面形状が、突出する球面状に形成されるフレーム嵌合部３２の形状に応じて外側に膨らむ円弧状に形成される。
【００２４】
次に、コーナー連結具５０について説明する。コーナー連結具５０は、コーナー５でパネル１０を連結するための部材であり、パネル連結具４０とともに用いられる。
【００２５】
本実施形態のコーナー連結具５０は、コーナー連結具基部（基部）５１と、第１連結部（第１屈曲部）５２と、第２連結部（第２屈曲部）５３と、を備える。
【００２６】
コーナー連結具基部５１は、板状に形成されており、その一側の端部に第１連結部５２が配置され、他側の端部に第２連結部５３が配置される。
【００２７】
第１連結部５２は、平面視において、コーナー連結具基部５１の一側の端部から略９０度屈曲する方向に形成される。この第１連結部５２の平面部分には、後述のビス９０を取り付けるためのビス取付部５２ａが形成される。
【００２８】
第２連結部５３は、平面視において、コーナー連結具基部５１の他側の端部から第１連結部５２と同じ側に略９０度屈曲する方向に形成される。この第２連結部５３は、パネル連結具４０を固定するための連結具固定部５４と、連結具固定部５４から更に第１連結部５２側に略９０度屈曲する先端側屈曲部５５と、から構成される。本実施形態の連結具固定部５４は、その水平方向の長さが、取付フレーム３０の取付面の水平方向の長さと略同じ長さに調整される。連結具固定部５４には、ビス９０を取付けるためのビス取付部５３ａが形成されており、ビス９０を介してパネル連結具４０が連結具固定部５４に固定される。
【００２９】
本実施形態のコーナー連結具５０は、板状の部材を折り曲げ加工することによって形成される。そして、コーナー連結具基部５１の水平方向の長さが、浴室ユニット１に使用されるパネル１０の厚みに応じて適切になるように、第１連結部５２及び第２連結部５３の屈曲位置等が調整される。より具体的には、パネル１０の厚み方向の長さと、裏打フレーム２１の長さと、を合わせた長さに基づいて屈曲位置が調整される。
【００３０】
次に、パネル連結具４０及びコーナー連結具５０を用いたパネル１０の連結方法の一例について説明する。まず、浴室ユニット１のコーナー５において、パネル１０ａとパネル１０ｂを直角状に連結する方法について説明する。
【００３１】
最初に、コーナー連結具５０及びパネル連結具４０が固定されているパネル１０ａを用意する。コーナー連結具５０は、その第１連結部５２がパネル１０ａの裏打フレーム２１にビス９０を介してパネル１０ａに固定される。パネル連結具４０は、第２連結部５３にビス９０を介して固定されることによってコーナー連結具５０を介してパネル１０ａに固定される。なお、パネル１０ａに固定されるコーナー連結具５０及びパネル連結具４０は、後述するパネル１０ｂのフレーム嵌合部３１の位置に合わせて複数（４個）所定の間隔をあけて並列配置される。
【００３２】
次に、コーナー連結具５０及びパネル連結具４０が固定されたパネル１０ａを床部に立てる。本実施形態の床部には、レール状に形成される位置決め部（図示省略）が配置されており、この位置決め部を利用してパネル１０ａを床部に自立させることが可能になっている。
【００３３】
コーナー連結具５０及びパネル連結具４０が固定されていないパネル１０ｂを用意し、パネル１０ｂの底部をパネル１０ａに直角状に連結させる位置に置くとともに、その上部を浴室ユニット１の内側であって床部側に傾かせる（又は床部に寝かせる）。この状態からパネル１０ｂを浴室ユニット１の内側から外側の方向に引き起こし、パネル１０ｂの取付フレーム３０ｂに形成されるフレーム嵌合部３１と、パネル連結具４０の連結具嵌合部４２と、を嵌合させる。パネル連結具４０の連結具嵌合部４２は、弾性変形可能に形成されており、フレーム嵌合部３１を乗り越えることで、フレーム嵌合部３１と嵌合される。本実施形態では、パネル１０ａに固定される４個のパネル連結具４０がパネル１０ｂのフレーム嵌合部３１とそれぞれ嵌合されるので、パネル１０ａとパネル１０ｂが４か所で連結されることになる。
【００３４】
以上の作業によって、パネル連結具４０及びコーナー連結具５０を介してパネル１０ａとパネル１０ｂが直角状に連結されて浴室ユニット１のコーナー５が形成される。次に、パネル１０ａとパネル１０ｃとを直線状に連結する方法について説明する。パネル１０ａとパネル１０ｃの連結は、コーナー５の連結作業で用いたパネル連結具４０と同じ構造のパネル連結具４０を用いて行う。
【００３５】
本実施形態では、上述の連結作業によってコーナー５を構成した後、パネル連結具４０が複数固定されたパネル１０ｃを外側から内側に引き起こすことで、パネル１０ｃに固定されたパネル連結具４０の連結具嵌合部４２と、パネル１０ａのフレーム嵌合部３１と、を嵌合させる。これにより、パネル１０ａの取付フレーム３０ａと、パネル１０ｃの取付フレーム３０ｂを介してパネル１０ａとパネル１０ｃが直線状に連結される。以上説明したように、本実施形態では、支持部材等を利用することなく、パネル１０を自立させた状態で連結作業を容易に行うことが可能となっている。
【００３６】
また、本実施形態のコーナー連結具５０は、ベンド装置等を用いて剛性を有する板状の金属部材を折り曲げ加工することによって形成される。従って、弾性力の調整を行う必要もなく、ベンド装置によって屈曲位置を調整するだけでパネルの厚みの変更に対応することができる。また、本実施形態では、コーナー連結具５０の連結具固定部５４の長さが、取付フレーム３０の取付面の長さと略同じになるように調整されているので、パネル１０を直線状に連結するパネル連結具４０をそのまま連結具固定部５４に固定することができる。即ち、パネル１０を直線状に連結するパネル連結具４０と同じ規格のパネル連結具４０をコーナー５でも調整作業等を行うことなく、共用することが可能になっているのである。
【００３７】
以上説明した本実施形態のパネル１０の連結構造１５によれば、以下のような効果を奏する。
本実施形態のパネル１０の連結構造１５は、パネル１０の裏面の両端にそれぞれ固定される取付フレーム３０ａ，３０ｂと、パネル１０ａの取付フレーム３０ａを一側で固定するビス取付部４１ａ及びパネル１０ａに直線状に隣接するパネル１０ｃの取付フレーム３０ｂを他側で固定する連結具嵌合部４２を有し、パネル１０ａとパネル１０ｃを直線状に連結可能なパネル連結具４０と、パネル連結具４０とともに２枚のパネル１０ａ及びパネル１０ｂを直角状に連結するコーナー連結具５０と、を備える。コーナー連結具５０は、板状に形成されるコーナー連結具基部５１と、コーナー連結具基部５１の一側から屈曲する第１連結部５２と、コーナー連結具基部５１の他側から第１連結部５２と同じ側に屈曲する第２連結部５３と、を有し、パネル１０ａとパネル１０ｂを直角状に連結する場合は、第１連結部５２を一方のパネル１０ａに固定するとともに、第２連結部５３をパネル連結具４０のビス取付部４１ａに固定し、該パネル連結具４０の連結具嵌合部４２を他方のパネル１０ｂの取付フレーム３０ａに固定することにより、一方のパネル１０ａと他方のパネル１０ｂを直角状に連結する。
【００３８】
これにより、直線状にパネル１０を連結する場合及び直角状にパネル１０を連結する場合の何れの場合も、パネル連結具４０を共用できるので、部品点数を削減できるとともに、パネル１０の連結作業を同じ部品を用いて行うことができ、パネル１０の施行作業を効率的に行うことができる。また、コーナー連結具５０を剛性の高い材料で構成することによって、モーメントの高いコーナーにおけるパネル１０の連結を強固にすることができる。更に、コーナー連結具５０のコーナー連結具基部５１の長さを調整するだけで種々のパネル１０の厚みに対応することができ、パネル１０の厚みに応じた連結構造１５の調整作業を容易化することができる。
【００３９】
また、本実施形態の第２連結部５３は、コーナー連結具基部５１の他側から第１連結部５２と同じ側に屈曲し、パネル連結具４０のビス取付部４１ａが固定される連結具固定部５４と、連結具固定部５４の先端側から更に第１連結部５２に屈曲する先端側屈曲部５５と、を備える。
【００４０】
これにより、先端側屈曲部５５によってパネル連結具４０とコーナー連結具５０との固定をより安定的にしてコーナーでの剛性をより向上させることができる。
【００４１】
取付フレーム３０ａには、凸状のフレーム嵌合部３１が形成され、パネル連結具４０の取付フレーム３０ａを固定する部分には、フレーム嵌合部３１に嵌合する凹状の連結具嵌合部４２が形成される。
【００４２】
これにより、直線状にパネル１０を連結する場合及び直角状１０にパネルを連結する場合の何れの場合も、嵌合を利用してパネル１０を連結できるので、パネル１０の連結作業を効率良く行うことができる。
【００４３】
また、本実施形態の浴室ユニット１は上述の連結構造１５によってパネル１０の連結を行う。これにより、浴室ユニット１のコーナー５における剛性を確保しつつ、多種多様の化粧板や裏打材からなるパネルから材料やデザイン等によってユーザが選択したパネル１０の厚みに応じて行う浴室ユニット１の施行作業を効率的に行うことができる。
【００４４】
以上、本発明のパネルの連結構造及び浴室ユニットの好ましい一実施形態について説明したが、本発明は、上述の実施形態に制限されるものではなく、適宜変更が可能である。例えば、化粧板に厚みが薄い裏打材を接合し、裏打フレームを設けることなく取付フレームをパネルの裏側に直接的に固定する構成とすることもできる。
【００４５】
上記実施形態では、パネル連結具４０及びコーナー連結具５０によってコーナー５でパネル１０とパネル１０が連結される構成であるが、浴室ユニット１を設置する環境によっては、柱を介してパネル１０の連結を行うようにすることもできる。例えば、コーナー５にある柱にパネル連結具４０又はコーナー連結具５０を固定して、当該柱を介してパネルを直角状に連結することもできる。
【００４６】
上記実施形態では、取付フレーム３０ａには凸状のフレーム嵌合部３１が形成され、パネル連結具４０には凹状の連結具嵌合部４２が形成されているが、嵌合構造は適宜変更することができる。例えば、取付フレームには凹状のフレーム嵌合部を形成し、パネル連結具には凸状の連結具嵌合部を形成する構成とすることもできる。
【００４７】
上記実施形態では、パネルの連結構造が適用されるものとして浴室ユニット１を例に説明したが、本発明は、トイレユニット等、パネルの連結が必要な種々の建造物に適用することができる。
【符号の説明】
【００４８】
１  浴室ユニット
１０ａ  パネル（第１パネル、一方のパネル）
１０ｂ  パネル（他方のパネル）
１０ｃ  パネル（第２パネル）
３０ａ  取付フレーム（取付部材）
３０ｂ  取付フレーム（取付部材）
３１  フレーム嵌合部（取付側嵌合部）
４０  パネル連結具
４１ａ  ビス取付部（第１固定部）
４２  連結具嵌合部（第２固定部、連結具側嵌合部）
５０  コーナー連結具
５１  コーナー連結具基部（基部）
５２  第１連結部（第１屈曲部）
５３  第２連結部（第２屈曲部）
５４  連結具固定部（コーナー連結具固定部）
【図１】
2016089518.tif 000003
【図２】
2016089518.tif 000004
【図３】
2016089518.tif 000005